【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
長波長と短波長の２つのレーザと、
前記２つのレーザの出力ビームを同軸の光路に導いて重畳させる光学系と、
同軸の光路に重畳した前記２つのレーザの出力ビームを被加工物上に集光する集光レンズとを備え、
前記光学系が、一方のレーザの出力ビームを全反射し他方のレーザの出力ビームを透過させるダイクロイックミラーを備え、
前記被加工物がアルミニウムであり、
前記長波長のレーザが、アルミニウム溶接加工用として用いられているＹＡＧレーザであり、
前記短波長のレーザが、アルミニウムに対する反射率が低い波長域である、０．８μｍ付近の発光スペクトルをもつ半導体レーザである
アルミニウム溶接用レーザ加工光学装置。
【請求項２】
請求項１記載のアルミニウム溶接用レーザ加工光学装置において、前記半導体レーザに代えてＬＥＤを備えたアルミニウム溶接用レーザ加工光学装置。
【請求項３】
長波長と短波長の２つのレーザと、
前記２つのレーザの出力ビームを同軸の光路に導いて重畳させる光学系と、
同軸の光路に重畳した前記２つのレーザの出力ビームを被加工物上に集光する集光レンズとを備え、
前記光学系が、一方のレーザの出力ビームを全反射し他方のレーザの出力ビームを透過させるダイクロイックミラーを備え、
前記被加工物がアルミニウムであり、
前記長波長のレーザが、アルミニウム溶接加工用として用いられているＹＡＧレーザであり、
前記短波長のレーザが、アルミニウムに対する反射率が低い波長域である、０．８μｍ付近の発光スペクトルをもつ半導体レーザである
アルミニウム溶接用レーザ加工光学装置を使用するアルミニウム溶接用レーザ加工方法。
【請求項４】
請求項３記載のアルミニウム溶接用レーザ加工方法において、前記半導体レーザに代えてＬＥＤを備えたアルミニウム溶接用レーザ加工光学装置を使用するアルミニウム溶接用レーザ加工方法。
【手続補正２】
【補正対象書類名】明細書
【補正対象項目名】発明の名称
【補正方法】変更
【補正の内容】
【発明の名称】アルミニウム溶接用二波長レーザ加工光学装置およびアルミニウム溶接用レーザ加工方法
【手続補正３】
【補正対象書類名】明細書
【補正対象項目名】０００１
【補正方法】変更
【補正の内容】
【０００１】
本発明は、２つのレーザビームを同軸に重ねて集光し、加工を行うことが可能なアルミニウム溶接用レーザ加工光学装置に関する。
【手続補正４】
【補正対象書類名】明細書
【補正対象項目名】０００５
【補正方法】変更
【補正の内容】
【０００５】
また、２つの波長のレーザビームに高い透過率を必要とする光学部品の数を削減し、コストの低いアルミニウム溶接用レーザ加工光学装置を提供することを第２の目的とする。
【手続補正５】
【補正対象書類名】明細書
【補正対象項目名】０００６
【補正方法】変更
【補正の内容】
【０００６】
本発明のアルミニウム溶接用レーザ加工光学装置は、長波長と短波長の２つのレーザと、前記２つのレーザの出力ビームを同軸の光路に導いて重畳させる光学系と、同軸の光路に重畳した前記２つのレーザの出力ビームを被加工物上に集光する集光レンズとを備え、前記光学系が、一方のレーザの出力ビームを全反射し他方のレーザの出力ビームを透過させるダイクロイックミラーを備え、
前記被加工物がアルミニウムであり、
前記長波長のレーザが、アルミニウム溶接加工用として用いられているＹＡＧレーザであり、
前記短波長のレーザが、アルミニウムに対する反射率が低い波長域である、０．８μｍ付近の発光スペクトルをもつ半導体レーザである。
【手続補正６】
【補正対象書類名】明細書
【補正対象項目名】０００７
【補正方法】変更
【補正の内容】
【０００７】
本発明の他のアルミニウム溶接用レーザ加工光学装置は、前記半導体レーザに代えてＬＥＤを備えている。
【手続補正７】
【補正対象書類名】明細書
【補正対象項目名】０００８
【補正方法】変更
【補正の内容】
【０００８】
本発明のアルミニウム溶接用レーザ加工方法は、長波長と短波長の２つのレーザと、
前記２つのレーザの出力ビームを同軸の光路に導いて重畳させる光学系と、
同軸の光路に重畳した前記２つのレーザの出力ビームを被加工物上に集光する集光レンズとを備え、
前記光学系が、一方のレーザの出力ビームを全反射し他方のレーザの出力ビームを透過させるダイクロイックミラーを備え、
前記被加工物がアルミニウムであり、
前記長波長のレーザが、アルミニウム溶接加工用として用いられているＹＡＧレーザであり、
前記短波長のレーザが、アルミニウムに対する反射率が低い波長域である、０．８μｍ付近の発光スペクトルをもつ半導体レーザであるアルミニウム溶接用レーザ加工光学装置を使用するものである。
【手続補正８】
【補正対象書類名】明細書
【補正対象項目名】０００９
【補正方法】変更
【補正の内容】
【０００９】
本発明の他のアルミニウム溶接用レーザ加工方法は、前記半導体レーザに代えてＬＥＤを備えているアルミニウム溶接用レーザ加工光学装置を使用するものである。
【手続補正９】
【補正対象書類名】明細書
【補正対象項目名】００１０
【補正方法】変更
【補正の内容】
【００１０】
本発明のアルミニウム溶接用レーザ加工光学装置は、長波長と短波長の２つのレーザと、前記２つのレーザの出力ビームを同軸の光路に導いて重畳させる光学系と、同軸の光路に重畳した前記２つのレーザの出力ビームを被加工物上に集光する集光レンズとを備え、前記光学系が、一方のレーザの出力ビームを全反射し他方のレーザの出力ビームを透過させるダイクロイックミラーを備え、前記被加工物がアルミニウムであり、前記長波長のレーザが、アルミニウム溶接加工用として用いられているＹＡＧレーザであり、前記短波長のレーザが、アルミニウムに対する反射率が低い波長域である、０．８μｍ付近の発光スペクトルをもつ半導体レーザであるので、２つのレーザの出力ビームを被加工物の同一の部位に照射することができ、レーザビームの利用効率が高く、加工性がよい。
【手続補正１０】
【補正対象書類名】明細書
【補正対象項目名】００１１
【補正方法】変更
【補正の内容】
【００１１】
また、２つの波長のレーザビームに高い透過率を必要とする光学部品の数を削減し、コストの低いアルミニウム溶接用レーザ加工光学装置を提供することができる。
【手続補正１１】
【補正対象書類名】明細書
【補正対象項目名】００１２
【補正方法】変更
【補正の内容】
【００１２】
本発明の他のアルミニウム溶接用レーザ加工光学装置は、前記アルミニウム溶接用レーザ加工光学装置において、前記半導体レーザに代えてＬＥＤを備えているので、ＹＡＧレーザとＬＥＤの２つの出力ビームを被加工物の同一の部位に照射することができ、レーザビームの利用効率が高く、加工性がよい。
【手続補正１２】
【補正対象書類名】明細書
【補正対象項目名】００１３
【補正方法】変更
【補正の内容】
【００１３】
また、２つの波長のレーザビームに高い透過率を必要とする光学部品の数を削減し、コストの低いアルミニウム溶接用レーザ加工光学装置を提供することができる。
【手続補正１３】
【補正対象書類名】明細書
【補正対象項目名】００１４
【補正方法】変更
【補正の内容】
【００１４】
本発明のアルミニウム溶接用レーザ加工方法は、長波長と短波長の２つのレーザと、前記２つのレーザの出力ビームを同軸の光路に導いて重畳させる光学系と、同軸の光路に重畳した前記２つのレーザの出力ビームを被加工物上に集光する集光レンズとを備え、前記光学系が、一方のレーザの出力ビームを全反射し他方のレーザの出力ビームを透過させるダイクロイックミラーを備え、前記被加工物がアルミニウムであり、前記長波長のレーザが、アルミニウム溶接加工用として用いられているＹＡＧレーザであり、前記短波長のレーザが、アルミニウムに対する反射率が低い波長域である、０．８μｍ付近の発光スペクトルをもつ半導体レーザであるアルミニウム溶接用レーザ加工光学装置を使用するので、２つのレーザの出力ビームを被加工物の同一の部位に照射することができ、レーザビームの利用効率が高く、加工性がよい。
【手続補正１４】
【補正対象書類名】明細書
【補正対象項目名】００１５
【補正方法】変更
【補正の内容】
【００１５】
本発明の他のアルミニウム溶接用レーザ加工方法は、前記レーザ加工方法において、前記半導体レーザに代えてＬＥＤを備えているアルミニウム溶接用レーザ加工光学装置を使用するので、ＹＡＧレーザとＬＥＤの２つの出力ビームを被加工物の同一の部位に照射することができ、レーザビームの利用効率が高く、加工性がよい。
【手続補正１５】
【補正対象書類名】明細書
【補正対象項目名】００２５
【補正方法】変更
【補正の内容】
【００２５】
【図１】本発明のアルミニウム溶接用レーザ加工光学装置の第１の実施の形態の構成を示す図である。
【図２】本発明のアルミニウム溶接用レーザ加工光学装置の第２の実施の形態の構成を示す図である。